(57)【要約】      （修正有）【課題】１秒内まで、更には秒の小数部分内までの記憶されたタイミングを表示することができる簡易かつ信頼性の高い時計機構及び時計ムーブメントを提供する。【解決手段】時間情報を指示し表示するための機構であって、時を表示するための部材Ｈ、及び／又は分を表示するための部材Ｍ、及び／又は秒を表示するための部材Ｓ、及び記憶された時を表示するための部材Ｈ’、及び／又は記憶された分を表示するための部材Ｍ’、及び／又は記憶された秒を表示するための部材Ｓ’を備える。【選択図】図１７
2014235165.tif 000002
【特許請求の範囲】
【請求項１】
時間情報を指示し記憶するための機構（３）であって、
時を表示するための部材（Ｈ）、及び／又は
分を表示するための部材（Ｍ）、及び／又は
秒を表示するための部材（Ｓ）、及び
記憶された時を表示するための部材（Ｈ’）、及び／又は
記憶された分を表示するための部材（Ｍ’）、及び／又は
記憶された秒を表示するための部材（Ｓ’）
を備える、機構。
【請求項２】
前記機構が、記秒を記憶するための第１の機器（ＭＥＭ１）と、少なくとも、分及び／又は時を記憶するための、第２の機器（ＭＥＭ２）と、を含む、請求項１に記載の機構。
【請求項３】
前記第１の記憶機器が、第１の記憶可動部（Ｍ１）であって、前記第１の可動部に専用の歯車列（１１、１２、１３、１４、１５）と噛み合うことが意図される第１の記憶要素（ＭＣ１）が設けられた第１の記憶可動部Ｍ１を備え、及び／又は、前記第２の記憶機器が、第２の記憶可動部（Ｍ２）であって、前記第２の可動部に専用の歯車列（１６）と噛み合うことが意図される第２の記憶要素（ＭＣ２）が設けられた第２の記憶可動部（Ｍ２）を備える、請求項１又は２に記載の機構。
【請求項４】
前記第１の記憶機器が、第１の固定化機器（Ｂ１）、特に少なくとも第１のクランプ（Ｐ１；Ｐ１０）又は第１のレバーを備え、及び／又は、前記第２の記憶機器が、第２の固定化機器（Ｂ２）、特に少なくとも第２のクランプ（Ｐ２；Ｐ２０）又は第２のレバーを備える、請求項１から３のいずれか１項に記載の機構。
【請求項５】
前記機構が、前記第１の記憶機器及び前記第２の記憶機器を動作させるための制御要素（Ｃ１、Ｃ２）を備える、請求項１から４のいずれか１項に記載の機構。
【請求項６】
前記制御要素が、
前記第１の部材を動作させるための第１のカム（Ｃ１）、特に第１のコラム・ホイールと、
前記第２の部材を動作させるための第２のカム（Ｃ２）、特に第２のコラム・ホイールと、
を備える、請求項５に記載の機構。
【請求項７】
前記第１のカム又は前記第１のコラム・ホイール及び前記第２のカム又は前記第２のコラム・ホイールが軸（Ａ）によって接続され、特に、前記第１のカム又は前記第１のコラム・ホイール及び前記第２のカム又は前記第２のコラム・ホイールが軸（Ａ）によって共に固定されている、請求項６に記載の機構。
【請求項８】
１２時間又は２４時間の表示を可能とする、請求項１から７のいずれか１項に記載の機構。
【請求項９】
記憶された分を表示するための前記部材及び／又は記憶された時を表示するための前記部材が、３０分を超える、１時間以上の、６時間以上の、１２時間以上の、更には２４時間の記憶容量を可能とするように構成されている、請求項１から８のいずれか１項に記載の機構。
【請求項１０】
請求項１から９のいずれか１項に記載の機構（３）を備えた時計ムーブメント（２）であって、第１の記憶機器（ＭＥＭ１）が、前記時計ムーブメントの歯車列の要素（１２）と噛み合う又は前記時計ムーブメントの歯車列の要素（１２）に固定された第１の記憶要素（ＭＣ１）を備え、及び／又は、第２の記憶機器（ＭＥＭ２）が、日の裏輪列（１６）と噛み合う第２の記憶要素（ＭＣ２）を備える、時計ムーブメント。
【請求項１１】
前記歯車列の要素が秒車（１２）である、請求項１０に記載の時計ムーブメント。
【請求項１２】
前記第１の記憶要素がカム、特にハート型部品（ＭＣ１０）であり、及び／又は前記第２の記憶要素がカム、特にハート型部品（ＭＣ２０）である、請求項１０又は１１に記載の時計ムーブメント。
【請求項１３】
前記機構が、前記ムーブメントのフレーム（Ｂ）の前記面（ＰＢ）に平行であると共に前記ムーブメントを実質的に等しい体積の第１の部分及び第２の部分に分割する中間面（Ｐ３）を有し、前記第１の記憶機器が前記第１の部分内にあり、前記第２の記憶機器が前記第２の部分内にある、請求項１０から１２のいずれか１項に記載の時計ムーブメント。
【請求項１４】
前記中間面（Ｐ３）の両側にカム（Ｃ１）及び（Ｃ２）が位置付けられている、請求項１３に記載の時計ムーブメント。
【請求項１５】
請求項１０から１４のいずれか１項に記載のムーブメント（２）又は請求項１から９のいずれか１項に記載の機構（３）を備える、計時器（１）、特に小型時計、具体的には腕時計。
【発明の詳細な説明】
【技術分野】
【０００１】
本発明は、時間情報を記憶するための時計機構に関する。また、本発明は、時間情報を記憶するためのかかる機構を備えた時計ムーブメントに関する。更に、本発明は、かかるムーブメント又はかかる機構を備えた計時器、特に小型時計に関する。
【背景技術】
【０００２】
時間情報、特に秒数を記憶するための機器は、従来技術から既知である。この例としてスプリットタイム・クロノグラフが知られている。
【０００３】
このタイプのクロノグラフにおいては、一般にフライバック針と称される秒針が、クロノグラフの非停止針（sweeping  hand）に重なっている。ストップウォッチを開始させるためのクロノグラフ・プッシュボタンが押された場合、フライバック針は非停止針に重なったままである。スプリットタイム・プッシュボタンを１度押すとフライバック針は停止するが、非停止針はその運針（sweep）を継続する。スプリットタイム・プッシュボタンをもう一度押すと、フライバック針は非停止針の位置に戻る。
【０００４】
かかる機器は、例えば非特許文献１、又は特許文献１に記載されている。従来のクロノグラフ機構に加えて、特許文献１の機器は、回転可能な制御カム、特にコラム・ホイール、及び１対の固定化クランプから成るフライバック可動部を制御するように設計された制御システムを用いる。
【先行技術文献】
【特許文献】
【０００５】
【特許文献１】スイス国特許第６８２２０１号
【特許文献２】欧州特許第１５８４９９７号
【非特許文献】
【０００６】
【非特許文献１】B.Humbertによる「Le  chronographe」（第１３章）
【発明の概要】
【発明が解決しようとする課題】
【０００７】
多数の構成要素、特にフライバック可動部を基礎ムーブメントの歯車列に選択的に接続可能である複雑なクロノグラフ係合機器を用いることの他に、従来のスプリットタイム・クロノグラフに伴う主な欠点は、１分を超える時間を記憶することができないことである。この弱点を克服するため、特許文献２は、時間間隔を秒及び分で記憶することができるスプリットタイム・クロノグラフを開示する。これにより、スプリットタイム機能の記憶能力はもはや６０秒間に限定されず、クロノグラフの分カウンタによって表示される分数まで延長されている。これはこの例では３０分である。この機器は分フライバック可動部を用いており、その固有の特徴（features）は、秒フライバック可動部を作動させるために用いられるものと同一のコラム・ホイールによって作動されることである。かかる解決策が適切である理由は、これらの２つのフライバック可動部が計時器のフレームの同一の側に位置付けられていることである。しかしながら、このシステムには２つの欠点がある。第１に、分フライバック可動部がクロノグラフのカウント用の歯車列に運動学的に接続されている限り、記憶機構はクロノグラフ機構に依存する。第２に、機器の記憶能力は、クロノグラフの分カウンタによって表示される分数に限定されたままである。
【０００８】
従って、１時間よりも長い時間、それどころか３０分よりも長い時間を記憶する能力を有する、１秒内までの時間又はタイミングを記憶するための機構は存在しないと考えられる。
【０００９】
本発明の目的は、上述の欠点を克服し、従来技術から既知の時計機構を改良することができる時計機構を提供することである。特に、本発明は、１秒内まで、更には秒の小数部分内までの記憶されたタイミングを表示することができる簡易かつ信頼性の高い時計機構及び時計ムーブメントを提案する。
【課題を解決するための手段】
【００１０】
本発明の第１の態様によれば、時間情報を指示し記憶するための機構は、
時を表示するための部材、及び／又は
分を表示するための部材、及び／又は
秒を表示するための部材、及び
記憶された時を表示するための部材、及び／又は
記憶された分を表示するための部材、及び／又は
記憶された秒を表示するための部材
を備える。
【００１１】
この機構は、秒を記憶するための第１の機器と、少なくとも、分及び／又は時を記憶するための、第２の機器と、を含むことができる。
【００１２】
第１の記憶機器は、第１の記憶可動部であって、この第１の可動部に専用の歯車列と噛み合うことが意図される第１の記憶要素が設けられた第１の記憶可動部を備えることができ、及び／又は、第２の記憶機器は、第２の記憶可動部であって、この第２の可動部に専用の歯車列と噛み合うことが意図される第２の記憶要素が設けられた第２の記憶可動部を備えることができる。
【００１３】
第１の記憶機器は、第１の固定化機器、特に少なくとも第１のクランプ又は第１のレバーを備えることができ、及び／又は、第２の記憶機器は、第２の固定化機器、特に少なくとも第２のクランプ又は第２のレバーを備えることができる。
【００１４】
この機構は、第１の記憶機器及び第２の記憶機器を動作させるための制御要素を備えることができる。
【００１５】
制御要素は、
第１の部材を動作させるための第１のカム、特に第１のコラム・ホイールと、
第２の部材を動作させるための第２のカム、特に第２のコラム・ホイールと、
を備えることができる。
【００１６】
第１のカム又は第１のコラム・ホイール及び第２のカム又は第２のコラム・ホイールは軸によって接続することができ、特に、第１のカム又は第１のコラム・ホイール及び第２のカム又は第２のコラム・ホイールは軸によって共に固定することができる。
【００１７】
この機構は、１２時間又は２４時間の表示を可能とすることができる。
【００１８】
記憶された分を表示するための部材及び／又は記憶された時を表示するための部材は、３０分を超える、１時間以上の、６時間以上の、１２時間以上の、更には２４時間の記憶容量を可能とするように構成することができる。このため、機構に対するユーザ操作によって、この容量に含まれるいかなる現在の時間情報も記憶することができる。
【００１９】
本発明の第１の態様によれば、時計ムーブメントは、先に規定した機構を備える。第１の記憶機器は、時計ムーブメントの歯車列の要素と噛み合う又は時計ムーブメントの歯車列の要素に固定された第１の記憶要素を備え、及び／又は、第２の記憶機器は、日の裏輪列と噛み合う第２の記憶要素を備える。
【００２０】
歯車列の要素は秒車とすることができる。
【００２１】
第１の記憶要素はカム、特にハート型部品とすることができ、及び／又は第２の記憶要素はカム、特にハート型部品とすることができる。
【００２２】
この機構は、ムーブメントのフレームの面に平行であると共にムーブメントを実質的に等しい体積の第１の部分及び第２の部分に分割する中間面を有することができ、第１の記憶機器は第１の部分内にあり、第２の記憶機器は第２の部分内にあることができる。
【００２３】
中間面のどちらかの側にカムを位置付けることができる。
【００２４】
本発明の第１の態様によれば、計時器、特に時計、具体的には腕時計が、先に規定したムーブメント又は先に規定した機構を備える。
【００２５】
本発明の第１の態様を補足又は代替する本発明の第２の態様によれば、時計ムーブメントは、時間情報を指示し記憶するための機構を備える。この機構は、記憶された秒及び／又は記憶された秒の小数部分を表示するための部材と、秒及び／又は秒の小数部分を記憶するための第１の記憶機器と、を備える。記憶機器は、時計ムーブメントの歯車列の要素と直接に噛み合う第１の記憶要素又は時計ムーブメントの歯車列の要素に固定された第１の記憶要素が設けられた第１の記憶可動部を備える。
【００２６】
好ましくは、第１の記憶要素は時計ムーブメントの歯車列の要素と永続的な接続状態にある。
【００２７】
第１の歯車列の要素は秒車とすることができる。
【００２８】
記憶要素はカム、特にハート型部品とすることができる。
【００２９】
第１の記憶機器は、第１の固定化機器、特に少なくとも第１のクランプ又は第１のレバーを備えることができる。
【００３０】
この機構は、
時を表示するための部材、及び／又は分を表示するための部材、及び
記憶された時を表示するための部材、及び／又は記憶された分を表示するための部材、及び
分及び／又は時間を記憶するための少なくとも第２の機器、
を備える。
【００３１】
第２の記憶機器には、日の裏輪列と噛み合う第２の記憶要素を設けることができる。
【００３２】
第２の記憶要素はハート型部品を備えることができる。
【００３３】
第２の記憶機器は、第２の固定化機器、特に少なくとも第２のクランプ又は第２のレバーを備えることができる。
【００３４】
第１及び第２の固定化機器は、
記憶された時及び／又は記憶された分を表示するための部材（Ｈ’、Ｍ’）、及び
記憶された秒を表示するための部材（Ｓ’）
の停止を同期させるために配置することができる。
【００３５】
ムーブメントは、第１及び第２の固定化機器を同期させるために配置されたカムを備えることができ、その目的は、
記憶された時及び／又は記憶された分を表示するための部材、及び
記憶された秒を表示するための部材
の停止を同期させることである。
【００３６】
ムーブメントは、ムーブメントのフレームの面に平行であると共にムーブメントを実質的に等しい体積の第１の部分及び第２の部分に分割する中間面を有することができ、第１の記憶機器は第１の部分内にあり、第２の記憶機器は第２の部分内にあることができる。
【００３７】
ムーブメントは、第１の記憶機器及び第２の記憶機器を動作させるための制御要素を備えることができる。
【００３８】
制御要素は、
第１の部材を動作させるための第１のカム、特に第１のコラム・ホイールと、
第２の部材を動作させるための第２のカム、特に第２のコラム・ホイールと、
を備えることができる。
【００３９】
第１のカム又は第１のコラム・ホイール及び第２のカム又は第２のコラム・ホイールは軸によって接続することができ、特に、第１のカム又は第１のコラム・ホイール及び第２のカム又は第２のコラム・ホイールは軸によって共に固定することができる。
【００４０】
中間面のどちらかの側にカムを位置付けることができる。
【００４１】
ムーブメントは、１２時間又は２４時間の表示を可能とすることができる。
【００４２】
記憶された分を表示するための部材及び／又は記憶された時を表示するための部材は、３０分を超える、１時間以上の、６時間以上の、１２時間以上の、更には２４時間の記憶容量を可能とするように構成することができる。このため、機構に対するユーザ操作によって、この容量に含まれるいかなる現在の時間情報も記憶することができる。
【００４３】
本発明の第２の態様によれば、計時器、特に小型時計、具体的には腕時計が、先に規定したムーブメントを備える。
【００４４】
添付図面は、本発明による時計機構の一実施形態を一例として図示する。
【図面の簡単な説明】
【００４５】
【図１】本発明による計時器の一実施形態の第１の動作構成における概略図である。
【図２】本発明による計時器の実施形態の第２の動作構成における概略図である。
【図３】本発明による計時器の実施形態の第３の動作構成における概略図である。
【図４】本発明による時計ムーブメントの一実施形態の一部の図である。
【図５】本発明による時計機構の一実施形態の部分断面図である。
【図６】本発明による時計機構の実施形態を示す図５の詳細図である。
【図７】本発明による時計機構の実施形態の第１の表示部の部分平面図である。
【図８】本発明による時計機構の実施形態の第１の記憶部の上面図であり、機構は、記憶された秒を示すための針によって時間を測定する第１の構成にある。
【図９】本発明による時計機構の実施形態の第１の記憶部の上面図であり、機構は、記憶された秒を示すための針によって時間を記憶する第２の構成にある。
【図１０】本発明による時計機構の実施形態の第２の表示部の部分平面図である。
【図１１】本発明による時計機構の実施形態の図１０のＸＩ−ＸＩでの断面図である。
【図１２】本発明による時計機構の実施形態の図１０のＸＩＩ−ＸＩＩでの断面図である。
【図１３】本発明による時計機構の実施形態の第２の記憶部の平面図であり、機構は、記憶された時及び分を示すための針によって時間を測定する第１の構成にある。
【図１４】本発明による時計機構の実施形態の第１及び第２の記憶部間の機械的接続を示す断面図である。
【図１５】本発明による時計機構の実施形態の全体的な平面図であり、機構は、記憶された時、分、及び秒を示すための針によって時間を測定する第１の構成にある。
【図１６】本発明による時計機構の実施形態の第２の記憶部の平面図であり、機構は、記憶された時及び分を示すための針によって時間を測定する第１の構成にある。
【図１７】本発明による時計機構の実施形態の全体的な平面図であり、機構は、記憶された時及び分を示すための針によって時間を記憶する第２の構成にある。
【発明を実施するための形態】
【００４６】
これより、図１から図３を参照して、本発明による計時器１の一実施形態について説明する。この計時器の実施形態においては、記憶された時、記憶された分、及び記憶された秒を指示又は表示することができる記憶部材Ｈ’、Ｍ’、Ｓ’、特に追加の針が、従来の指示又は表示部材Ｈ、Ｍ、Ｓ、特に従来の針Ｈ、Ｍ、Ｓに追加されている。このため計時器は、１秒内までのタイミングを記憶することができると同時に現在の時刻を指示する。特に、数時間、特に１２時間又は２４時間を超える時間範囲において、１秒内までのタイミングを表示することができる。
【００４７】
計時器は、例えば小型時計、特に腕時計である。計時器は時計ムーブメント２を備える。時計ムーブメント２は、後に詳述する時計機構３を備える。この時計機構３は、例えば、現在の時、分、秒、又は秒の小数部分を指示又は表示し、記憶された時、分、秒、又は秒の小数部分を指示又は表示することができる表示部材Ｈ、Ｍ、Ｓ、Ｈ’、Ｍ’、Ｓ’を備える。この機構は例えば、現在の時刻を秒の小数部分単位で指示するための部材及び／又は記憶された秒の小数部分を指示するための部材を備えることができる。これらの指示部材は、例えば秒機構をジャンプさせることによって動作させることができる。これ以降は簡略化のため、秒の小数部分を表示する部材でなく、時、分、及び秒を表示する部材のみを考察対象とする。
【００４８】
通常動作においては、図１に示すように、現在の時、分、及び秒を表示する部材Ｈ、Ｍ、Ｓ、並びに記憶された時、分、及び秒を表示する部材Ｈ’、Ｍ’、Ｓ’は、現在の時刻を指示する。
【００４９】
ボタンを押す等、制御部材４に第１の操作を行うと、記憶された時、分、及び秒を表示する部材Ｈ’、Ｍ’、Ｓ’は固定化されるが、現在の時、分、及び秒を表示する部材Ｈ、Ｍ、Ｓは何も影響を受けず、これらは図２に示すように動き続ける。このように、この構成において部材Ｈ’、Ｍ’、Ｓ’は記憶された時間情報を指示する。
【００５０】
例えばボタンを押す等、制御部材４に第２の操作を行うと、記憶された時、分、及び秒を表示する部材Ｈ’、Ｍ’、Ｓ’は位置を変える。すなわち図３に示すように、現在の時、分、及び秒を表示する部材Ｈ、Ｍ、Ｓと再同期する。このように、記憶された時間、分、及び秒を表示する部材Ｈ’、Ｍ’、Ｓ’、並びに現在の時、分、及び秒を表示する部材Ｈ、Ｍ、Ｓは、再び同期される。従って、記憶された時間、分、及び秒を表示する部材Ｈ’、Ｍ’、Ｓ’、並びに現在の時、分、及び秒を表示する部材Ｈ、Ｍ、Ｓは、同一の情報を表示する。
【００５１】
ここで、時間情報を指示し記憶するための時計機構３の一実施形態について、図４から図１７を参照して更に詳細に説明する。
【００５２】
本発明の第１の態様によれば、時間情報を指示し記憶するための機構３は、
時を表示するための部材Ｈ及び／又は分を表示するための部材Ｍ及び／又は秒を表示するための部材Ｓ又は秒の小数部分を表示するための部材、
記憶された時を表示するための部材Ｈ’及び／又は記憶された分を表示するための部材Ｍ’及び／又は記憶された秒を表示するための部材Ｓ’又は記憶された秒の小数部分を表示するための部材、を備える。
【００５３】
本発明の第１の態様に従って、この機構は、秒を記憶するため又は秒の小数部分を記憶するための第１の機器ＭＥＭ１と、分及び／又は時を記憶するための少なくとも第２の機器ＭＥＭ２と、を備えると好都合である。
【００５４】
本発明の第２の態様によれば、時計ムーブメント２は時間情報を指示し記憶するための機構３を備え、この機構は、
記憶された秒及び／又は記憶された秒の小数部分を表示するための部材Ｓ’と、
秒及び／又は秒の小数部分を記憶するための第１の機器ＭＥＭ１と、
を含む。
【００５５】
第１の記憶機器ＭＥＭ１は、時計ムーブメントの歯車列１１、１２、１３、１４、１５の要素１２と直接に噛み合う第１の記憶要素ＭＣ１、又は時計ムーブメントの歯車列の要素に固定された第１の記憶要素が設けられた第１の記憶可動部Ｍ１を更に備える。
【００５６】
好ましくは、第１の記憶要素は時計ムーブメントの歯車列の要素１２と永続的な接続状態にある。
【００５７】
また、この機構は、秒及び／又は秒の小数部分を表示するための部材Ｓを備えることができる。
【００５８】
第１の記憶機器ＭＥＭ１は、歯車列と記憶された秒を表示するための部材Ｓ’との間、特に秒車１２と記憶された秒を表示するための部材Ｓ’との間のインタフェースを提供する。図４に示すように、歯車列は、香箱１５、例えば中央車１４、例えば第３車１３、秒車１２、及びガンギ車１１を備えることができる。歯車列は、香箱から発振器まで全体的に従来通りの構造を有することができる。あるいは、歯車列は、いくつかの香箱及び４つ以上の可動部を備え、単一の香箱又は複数の香箱とガンギ車との間の運動学的接続を与えるようにすることも可能である。
【００５９】
これより、図５から図９を参照して第１の記憶機器ＭＥＭ１について説明する。第１の記憶機器は、
第１の記憶可動部Ｍ１であって、この可動部に専用の歯車列１１、１２、１３、１４、１５と噛み合うことが意図される第１の記憶要素ＭＣ１が設けられた第１の記憶可動部Ｍ１を備える。
【００６０】
更に具体的には、第１の記憶機器は、第１の可動部Ｍ１に加えて、
秒車１２に固着され（従って秒表示部材Ｓに固着され）、第１の記憶可動部Ｍ１と噛み合う、特に噛み合っているピニオン１ａと、
記憶された秒の表示部材Ｓ’に固着され、第１の記憶可動部Ｍ１と噛み合う、特に噛み合っているピニオン１ａ’と、
を備える。
【００６１】
更に具体的には、記憶可動部Ｍ１はピニオンＭ１ａを備え、この上に、例えばカムＭＣ１０、特にハート型部品を備える第１の記憶要素ＭＣ１が搭載又は固定されている。このピニオンＭ１ａは、秒可動部１２のピニオン１ａと連続的に噛みあうことができる。記憶可動部Ｍ１は、可動部１２’の歯車１ａ’と噛み合う車Ｍ１ａ’を備える。可動部１２’には、記憶された秒を示す部材Ｓ’が搭載されるか、又は前記部材がその一部を形成し、特にその上に記憶針Ｓ’が組み込まれている。また、この車Ｍ１ａ’は、弾性戻しレバーＭＬ１が枢支されたプレートＭＰ１に固着されている。車Ｍ１ａ’及びプレートＭＰ１は相互に固定すると好都合である。図５に示すように、車１ａ’及び記憶秒表示部材Ｓ’は、計時器１のムーブメント２のフレームＢをまっすぐに通る軸によって接続されている。
【００６２】
正常な又は通常の動作において、すなわち図１及び図７におけるように秒表示部材Ｓ及び記憶秒表示部材Ｓ’が同期されている場合、戻しレバーＭＬ１の先端部はカム輪郭ＭＣ１０に形成された突出部又はくぼみ部又は平坦部を押す。この構成において、制御カムＣ１、特にコラム・ホイールは、プレートＭＰ１を固定化するための固定化機器Ｂ１を非作動とするように位置付けられている。この構成において、固定化機器はプレートＭＰ１に対し、従って記憶可動部Ｍ１に対し、てこの作用を加えない。このため、カムＭＣ１０に対する戻しレバーＭＬ１の作用により、プレートＭＰ１及びカムＭＣ１０は同期して回転し、従って秒部材及び記憶された秒の部材は同一の表示を行う。機構３が、第１の記憶機器を動作させるための制御カムＣ１を備える。
【００６３】
固定化機器Ｂ１は、少なくとも１つのレバー又はクランプ、好ましくは２つのレバー又はクランプＰ１及びＰ１０及びばねＲ１を備える。これらの要素の配置は、ばねがクランプをプレートＭＰ１から離れる方向に戻すように、従って（図８に示すように）プレートＭＰ１を固定化しないようになっている。（図９に示すように）従動子ＬＰ１がコラム・ホイールのコラムを押している場合、コラム・ホイールのコラム及び従動子ＬＰ１は、クランプＰ１及びＰ１０をプレートＭＰ１と接触させるように設計されている。表示及び記憶機構は固定化機器Ｂ１を備える。
【００６４】
制御カムＣ１は、ばねＲによって角度が示されるコラム・ホイールの形態をとると好都合である。このホイールには、例えばコラム及びくぼみ部から成る二部分の輪郭Ｃ１ａが設けられている。図８の構成では、クランプＰ１の従動子ＬＰ１は輪郭Ｃ１ａのくぼみ部の１つに対向するので、ばねＲ１によってクランプＰ１及びＰ１０は、カムＭＣ１０と共働するように設計された弾性戻しレバーＭＬ１が枢支されたプレートＭＰ１の範囲外に位置付けられる。
【００６５】
また、制御カムＣ１には、制御部材Ｏの作用のもとでレバーＬにより１つの角度刻みだけ作動され駆動されるように設計されたラチェット歯セットＣ１ｂを設けることができる。レバーＬに対する圧力によって制御カムＣ１は回転するので、輪郭Ｃ１ａのコラムの１つがクランプＰ１、Ｐ１０をばねＲ１の作用に対抗させ、これによってクランプＰ１、Ｐ１０は可動部Ｍ１のプレートＭＰ１の回転を固定化させることができる。このため、（図９に示す）この構成において、レバーＭＬ１はプレートＭＰ１の明確な角度位置に固定化され、一方でカムＭＣ１０は回り続ける。この状況の結果、記憶秒表示部材Ｓ’は固定化され、一方で秒表示部材Ｓは進み続ける。制御部材Ｏに更に別の操作が加わると、制御カムＣ１は図９のものと類似の構成に位置付けられる。すなわち、レバーＭＬ１の先端部は、その弾性戻し要素の作用のもとで、カムＭＣ１０の突出部、又はくぼみ部、又は平坦部に対して位置を変える。このため、秒表示部材Ｓ及び記憶秒表示部材Ｓ’は再び同期される。機構３は制御部材Ｏを備える。この制御部材によって制御カムＣ１、Ｃ２に対する操作が可能となる。
【００６６】
第２の記憶機器ＭＥＭ２は、時及び分を表示する部材Ｈ、Ｍと、記憶された時及び分を表示する部材Ｈ’、Ｍ’との間のインタフェースを提供する。
【００６７】
これより、図１０から図１７を参照して第２の記憶機器ＭＥＭ２について説明する。第２の記憶機器は、
第２の記憶可動部Ｍ２であって、この可動部に専用の歯車列と噛み合うことが意図される第２の記憶要素ＭＣ２が設けられた第２の記憶可動部Ｍ２を備える。
【００６８】
更に具体的には、第２の記憶機器は、第２の可動部Ｍ２に加えて、記憶された時を表示するための部材Ｈ’及び記憶された分を表示するための部材Ｍ’を、第２の記憶可動部Ｍ２と、特に噛み合って接続する補助的な日の裏輪列を備える。
【００６９】
更に具体的には、第２の記憶可動部Ｍ２は車Ｍ２ａを備え、この上に、例えばカムＭＣ２０、特にハート型部品を備える第２の記憶要素が搭載又は固定されている。この車Ｍ２ａは、時間を表示する部材Ｈを支持する時間車１６２と連続的に噛み合わせることができる。記憶可動部Ｍ２は、記憶時表示部材Ｈ’を支持する車１６２’に固定された車１６２ａ’と噛み合う車Ｍ２ａ’を備える。また、この車Ｍ２ａ’は、弾性戻しレバーＭＬ２が枢支されたプレートＭＰ２に固定されている。車Ｍ２ａ’及びプレートＭＰ２は相互に固定すると好都合である。
【００７０】
第２の記憶機器は第１の記憶機器と同様である。このため、時及び分を表示する部材Ｈ及びＭは、第２の記憶可動部Ｍ２を介在して、記憶された時及び分を表示する部材Ｈ’及びＭ’に接続されている。
【００７１】
図５、図１１、図１２に示すように、第２の記憶可動部Ｍ２は、第１の記憶可動部Ｍ１が位置している側とは逆のムーブメント・フレームの側に位置付けられていると好都合である。
【００７２】
第２の記憶可動部Ｍ２の構造は可動部Ｍ１のものと類似している。第２の可動部Ｍ２は、カムＭＣ２０、特にハート型部品が搭載された車Ｍ２ａを備える。この車Ｍ２ａは、時間表示部材Ｈが搭載された、特に時間針Ｈが組み込まれた時間車１６２と、特に連続的に噛み合わせることができる。また、第２の可動部Ｍ２は、搭載された車プラットフォーム１６２ａ’を介して記憶時車１６２’を駆動する車Ｍ２ａ’も備える。記憶時表示部材が搭載された、特に針Ｈ’が組み込まれた記憶時車１６２’と、記憶分表示部材Ｍ’に固着された筒かな１６４’との間の運動学的接続は、日の裏輪列１６と同一の構造を有する補助的な日の裏輪列１６’の介在によって達成される。
【００７３】
固定化機器Ｂ２は記憶可動部Ｍ２に専用のものである。固定化機器Ｂ２は固定化機器Ｂ１と同様である。固定化機器Ｂ１と同じように、固定化機器Ｂ２は少なくとも１つのレバー又はクランプ、好ましくは２つのレバー又はクランプＰ２及びＰ２０及びばねＲ２を備える。この固定化機器も、例えばコラム・ホイールのような制御カムＣ２によって動作される。表示及び記憶機構が固定化機器Ｂ２を備える。機構３が、第２の記憶機器を動作させる制御カムＣ２を備える。
【００７４】
記憶時及び分の表示部材Ｈ’及びＭ’並びに記憶秒表示部材Ｓ’の制御を同期させるため、制御カムＣ２は固有の回転特徴を有し、これは、制御カムＣ１が計時器１のムーブメント２のフレームＢをまっすぐ通る軸の作用により得たものと同様である。これを図１４に示す。好ましくは、軸Ａの幾何学的特徴ＧＡは、制御カムＣ２の相補的な又は実質的に相補的な幾何学的特徴ＧＣ２と共働するように設計されて、制御カムＣ１に対する制御カムＣ２の角度指示を容易にする。このように、第１の制御カムＣ１及び第２の制御カムＣ２は軸Ａによって接続されている。
【００７５】
図１３の構成において、制御カムＣ２は、固定化機器Ｂ２が記憶可動部Ｍ２にてこの作用を与えないように位置付けられている。更に具体的には、クランプＰ２のアームＬＰ１の一端は輪郭Ｃ２ａのくぼみ部の１つに対向しているので、ばねＲ２によってクランプＰ２及びＰ２０はプレートＭＰ２の範囲外に位置付けられる。このため、戻しレバーＭＬ２の先端部は、カムＭＣ２０の輪郭に形成された突出部又はくぼみ部又は平坦部を連続的に支持し、これは、記憶された時間及び分を表示するための部材Ｈ’及びＭ’の組と時及び分を表示するための部材Ｈ及びＭの組とが同期されていることを意味する。
【００７６】
図１３及び図１５に示す構成は図８に示したものと一致している。換言すると、クランプＰ２が制御カムＣ２の輪郭Ｃ２ａのくぼみ部の１つに対向している場合、クランプＰ１も制御カムＣ１の輪郭Ｃ１ａのくぼみ部の１つに対向して位置している。このため固定化機器Ｂ１及びＢ２は同期され、これは、記憶された時、分、及び秒を表示する部材の固定化が同期されていることを意味する。
【００７７】
制御カムＣ１と同様に、制御部材Ｏに対する作用により制御カムＣ２は回転するので、輪郭Ｃ２ａのコラムの１つがクランプＰ２及びＰ２０をばねＲ２の作用に対抗させ、これによってクランプＰ２及びＰ２０は可動部Ｍ２のプレートＭＰ２の回転を固定化させることができる。このため、図１６及び図１７の構成において、レバーＭＬ２はプレートＭＰ２の明確な角度位置に固定化され、一方でカムＭＣ２０は回り続ける。この状況の結果、記憶された時及び分を表示する部材Ｈ’及びＭ’は固定化され、一方で時及び分を表示する部材Ｈ及びＭは進み続ける。
【００７８】
図１６及び図１７に示すこの構成は図９に示したものと一致している。換言すると、クランプＰ２が制御カムＣ２の輪郭Ｃ２ａのコラムの１つに対向して位置している場合、クランプＰ１も同様にカムＣ１の輪郭Ｃ１ａのコラムの１つに対向して位置している。このため固定化機器Ｂ１及びＢ２は同期され、従って、記憶された時、分、及び秒を表示する部材Ｈ’、Ｍ’、Ｓ’の停止が同期されていることを意味する。
【００７９】
むろん、固定化機器Ｂ１、Ｂ２が別個の動作モードを有する場合には、各カムＣ１、Ｃ２の輪郭Ｃ１ａ、Ｃ２ａは異なるように構成することができる。全ての場合において、カムＣ１及びＣ２は、記憶された時、分、及び秒を表示する部材Ｈ’、Ｍ’、及びＳ’の停止を同期するように固定化機器Ｂ１、Ｂ２を同期させるように規定される。
【００８０】
本発明により、第１の記憶可動部Ｍ１は歯車列の秒可動部と直接に噛み合っている。この記憶可動部は第１の固定化機器Ｂ１によって制御される。
【００８１】
第２の記憶可動部Ｍ２によって時及び／又は分の記憶が可能となる。第２の記憶可動部Ｍ２は、基礎ムーブメントの日の裏輪列と直接に噛み合っている。この記憶可動部は少なくとも１つの第２の固定化機器Ｂ２によって制御される。
【００８２】
制御カムＣ１、Ｃ２は、固定化機器Ｂ１、Ｂ２の各々を動作させるように設計されている。制御カムＣ１、Ｃ２は、ユーザが行った操作を表示及び記憶機構３、ムーブメント２、又は計時器１に伝達する制御部材Ｏによって作動される。
【００８３】
制御カムＣ１、Ｃ２は回転することができる。制御カムＣ１、Ｃ２はは、少なくとも２つの固定化機器Ｂ１、Ｂ２を動作させるように、計時器１のフレームＢのどちらかの側に位置付けられるように構成されている。
【００８４】
図１１に示すように、秒可動部１２は例えばムーブメントのフレームＢの第１の側に位置付けられ、日の裏輪列は従来のようにムーブメントのフレームの他の側に位置付けられている。
【００８５】
図１１に示すように、機構３はムーブメントのフレームＢの面ＰＢに平行な中間面Ｐ３を有する。中間面Ｐ３は、軸Ａ及び可動部１２’に実質的に垂直であり、空間を同一体積の２つの部分に分割する。これらの部分に機構３全体が含まれる。フレームの面ＰＢは、ムーブメントのプレートを実質的に等しい体積の第１の部分及び第２の部分に分割する。第１の記憶機器ＭＥＭ１、特に記憶可動部Ｍ１及び／又は第１の記憶要素ＭＣ１及び／又はプレートＭＰ１は、第１の部分内にある。第２の記憶機器ＭＥＭ２、特に記憶可動部Ｍ２及び／又は第１の記憶要素ＭＣ２及び／又はプレートＭＰ２は、第２の部分内にある。
【００８６】
表示及び記憶機構は、好ましくは１２時間又は２４時間の範囲内の、時間を表示するため及び瞬間を記憶するための部材を備える。好ましくは、時間を表示するための部材及び記憶部材は、同一の速度かつ同一の範囲で動く。あるいは、時間を表示する針及び記憶に用いられる針は、２つの別個の時間範囲で情報を示す。
【００８７】
従って、本発明によれば、時間又はタイミング、時及び／又は分及び／又は秒情報の項目の各々について、機構は、単一の制御部材の作用のもとで、同一の表示部材を用いて、記憶された情報又は現在の情報を選択的に指示する固有の特徴を有する。かかる機構は、例えばイベントの開始時の時刻を示し、その終了時刻を１秒未満で示すことに有用であることがわかっている。
【００８８】
表示部材を１つ以上のランダムな位置又は１つ以上の一度規定した位置に、すなわちユーザ規定可能でなくユーザ変更可能でない１つ以上の位置に位置付けることは、要求があった場合に時間情報を表示するための機構において行われるが、本発明の意味内の記憶装置として考慮することはできない。
【００８９】
この文書全体を通して、「直接に噛み合う」とは、クラッチ機器なしのいずれかの運動学的接続を意味することが意図される。好ましくは、この接続は永続的である。適宜、秒車と記憶可動部との間に１つ以上の中間要素を配置することも可能である。
【符号の説明】
【００９０】
３  機構
Ｈ  時を表示するための部材
Ｍ  分を表示するための部材
Ｓ  秒を表示するための部材
Ｈ’  記憶された時を表示するための部材
Ｍ’  記憶された分を表示するための部材
Ｓ’  記憶された秒を表示するための部材
ＭＥＭ１  第１の機器
ＭＥＭ２  第２の機器
Ｍ１  第１の記憶可動部
Ｍ２  第２の記憶可動部
１１、１２、１３、１４、１５、１６  歯車列
ＭＣ１  第１の記憶要素
ＭＣ２  第２の記憶要素
Ｂ１  第１の固定化機器
Ｂ２  第２の固定化機器
【図１】
2014235165.tif 000003
【図２】
2014235165.tif 000004
【図３】
2014235165.tif 000005
【図５】
2014235165.tif 000006
【図６】
2014235165.tif 000007
【図７】
2014235165.tif 000008
【図８】
2014235165.tif 000009
【図９】
2014235165.tif 000010
【図１０】
2014235165.tif 000011
【図１１】
2014235165.tif 000012
【図１２】
2014235165.tif 000013
【図１３】
2014235165.tif 000014
【図１５】
2014235165.tif 000015
【図１６】
2014235165.tif 000016
【図１７】
2014235165.tif 000017
【図４】
2014235165.tif 000018
【図１４】
2014235165.tif 000019
【外国語明細書】
2014235165000001.pdf
2014235165000002.pdf
2014235165000003.pdf
2014235165000004.pdf